(57)【要約】  この発明は、フィルタ（１）の所定の用法に際して上側に設けられた汚染水の流入口（２）とフィルタ（１）を通過する水を濾過するフィルタエレメント（８）とを有してなる汚染水を濾過するためのフィルタ（１）に関する。本発明は、２００μｍの直径あるいは長さを有するマイクロプラスチック粒子あるいは繊維を捕集するようにフィルタエレメント（８）を形成し、バケツ（６）を傾斜させた際にバケツ（６）の外側にフィルタ（１）を懸吊してバケツ（６）から流出する汚染水を濾過する注ぎ口フィルタとして作用し得るような方式でフィルタ（１）の寸法に対応するバケツ（６）の上縁（５）にフィルタを固定可能であるような固定構造（４）をフィルタ（１）が備えることを特徴とする。【選択図】図１
2021514830.tif 000002
【特許請求の範囲】
【請求項１】
フィルタ（１）の所定の用法に際して上側に設けられた汚染水の流入口（２）とフィルタ（１）を通過する水を濾過するフィルタエレメント（８）とを有してなる汚染水を濾過するためのフィルタであって、
２００μｍの直径あるいは長さを有するマイクロプラスチック粒子あるいは繊維を捕集するようにフィルタエレメント（８）を形成し、バケツ（６）を傾斜させた際にバケツ（６）の外側にフィルタ（１）を懸吊してバケツ（６）から流出する汚染水を濾過する注ぎ口フィルタとして作用し得るような方式でフィルタ（１）の寸法に対応するバケツ（６）の上縁（５）にフィルタを固定可能であるような固定構造（４）をフィルタ（１）が備えることを特徴とするフィルタ（１）。
【請求項２】
２本の固定爪（３）を有する固定構造（４）を備え、それによってフィルタ（１）をバケツ（６）の上縁（５）に懸吊することができることを特徴とする請求項１記載のフィルタ（１）。
【請求項３】
固定構造（４）の適宜な構成によって揺動するようにバケツ（６）の上縁（５）にフィルタ（１）を懸吊可能にし、従ってバケツ（６）を傾斜させた際にフィルタ（１）がそれの自重によっておよび／またはバケツ（６）からフィルタ（１）に流入する水の追加的な重量によってバケツ（６）が直立している際のフィルタの空間内の方向性をバケツ（６）が傾斜した際でも少なくとも殆ど維持するような方式でフィルタがバケツに対して傾倒し得ることを特徴とする請求項１または２記載のフィルタ（１）。
【請求項４】
フィルタ（１）上に少なくとも１個のストッパ要素（９）を備え、そのストッパ要素がバケツの外側に突立したバケツ縁部（５）と共働してバケツ（６）を傾斜させた際のフィルタ（１）の滑落を防止することを特徴とする請求項１ないし３のいずれかに記載のフィルタ（１）。
【請求項５】
フィルタエレメント（８）がフィルタ（１）の内部空間を仕切る少なくとも１枚の壁部内の少なくとも１つのリセスを被覆することを特徴とする請求項１ないし４のいずれかに記載のフィルタ（１）。
【請求項６】
フィルタ（１）の固定構造（４）が少なくとも１本の固定ベルト（１２，１３）から形成され、それによってフィルタ（１）をバケツ（６）の上縁（５）領域内に固定可能にし、そのため特に前記少なくとも１本の固定ベルト（１２，１３）をバケツ（６）の上縁（５）の周りに周回させて適宜に固定することを特徴とする請求項１記載のフィルタ（１）。
【請求項７】
少なくとも１本の固定ベルト（１２，１３）がベルクロ（登録商標）ファスナ（１４）を備えることを特徴とする請求項６記載のフィルタ（１）。
【請求項８】
フィルタ（１）が所与の制限内で多様な大きさのバケツ（６）および／または多様な断面形状を有するバケツ（６）に固定するために適合するように、少なくとも１本の固定ベルト（１２，１３）および／またはベルクロ（登録商標）ファスナ（１４）を寸法設定および／または配置することを特徴とする請求項６または７記載のフィルタ（１）。
【請求項９】
フィルタ（１）が濾過する水用の流入口（２）を備えたフィルタ袋（１５）からなることを特徴とする請求項１または請求項６ないし８のいずれかに記載のフィルタ（１）。
【請求項１０】
フィルタ袋（１５）が側辺側で相互に結合、特に補強帯（１７）を使用して相互に縫合された２枚のシート（１６ａ，１６ｂ）から形成され、そのうち少なくとも１枚のシート（１６ａ，１６ｂ）が少なくとも部分的にフィルタエレメント（８）として機能することを特徴とする請求項９記載のフィルタ（１）。
【請求項１１】
フィルタ袋（１５）が流入口（２）の領域内の相互の対向する２側面にＶ字型のあるいはＶ字型に広げることができるリセス（１８）を備え、フィルタ（１）をバケツ（６）に適正に固定した際に前記リセス内にバケツ（６）の縁部（５）が少なくとも部分的に進入し得ることを特徴とする請求項９または１０記載のフィルタ（１）。
【請求項１２】
フィルタ袋（１５）の全ての縁部領域を補強帯（１７）によって補強することを特徴とする請求項９ないし１１のいずれかに記載のフィルタ（１）。
【請求項１３】
２本の固定ベルト（１２，１３）を設け、それらのそれぞれが第１および第２の固定ベルト断片（１２ａ，１２ｂ；１３ａ，１３ｂ）に分岐し、その際各固定ベルト（１２，１３）の２本の固定ベルト断片（１２ａ，１２ｂ；１３ａ，１３ｂ）がフィルタ袋（１５）のＶ字型のリセス（１８）のそれぞれ異なった脚部に接合することを特徴とする請求項６または１１記載のフィルタ（１）。
【請求項１４】
各固定ベルト（１２，１３）の分岐した２本の固定ベルト断片（１２ａ，１２ｂ；１３ａ，１３ｂ）が異なった長さを有することを特徴とする請求項１３記載のフィルタ（１）。
【請求項１５】
フィルタエレメント（８）と固定構造（４）を含めたフィルタ（１）全体を単一の材料、特にポリアミドから製造することを特徴とする請求項１ないし１４のいずれかに記載のフィルタ（１）。
【請求項１６】
５μｍないし２００μｍの平均メッシュ幅、好適には２０ないし１００μｍの平均メッシュ幅を有するフィルタ組織、特に熱硬化合成樹脂フィルタ組織からフィルタエレメント（８）を形成することを特徴とする請求項１ないし１５のいずれかに記載のフィルタ（１）。
【請求項１７】
バケツ（６）とそのバケツ上に固定された請求項１ないし１６のいずれかに記載のフィルタ（１）からなる複合体。
【発明の詳細な説明】
【技術分野】
【０００１】
この発明は、フィルタの所定の用法に際して上側に設けられた汚染水の流入口とフィルタを通過する水を濾過するフィルタエレメントとを有してなる汚染水を濾過するためのフィルタに関する。
【背景技術】
【０００２】
今日販売されている繊維製品および衣料品の多く、特にアウトドア衣類またはその他の合成繊維から製造された機能性衣類は無視できない割合で合成樹脂繊維から形成される。そのような繊維製品は、洗濯に際して合成樹脂繊維あるいは合成樹脂繊維片が洗い落とされるかあるいは脱落しそれが排水と共に環境中に流出するという難点を有する。その種の合成樹脂繊維が通常極めて小さくかつ短い繊維あるいは繊維片に係るため、従来の洗濯機の排水フィルタあるいはその他の従来から家庭で使用されていた汚水を濾過するためのフィルタでは前記の繊維を充分に捕集できない。下水処理場では排水中に含まれる合成樹脂繊維の一定割合を捕集することができるものの、同時に比較的大きな割合でその種の繊維を通過させ、それが無視できないレベルで河川および海洋汚染を増進させ、そこで動物による捕食によって最終的に食物連鎖中に取り込まれる。勿論、洗濯機、下水処理場等が適宜なマイクロプラスチックフィルタを備えることが理想的であるが、そのことは未だ包括的には達成不可能である。
【０００３】
この点に関して特許文献１により、繊維製品から洗い落とされた合成樹脂繊維あるいは繊維片の捕集手段として機能して環境保護に寄与することができる、合成樹脂繊維を含んだ繊維製品の洗濯に際して使用するための洗濯袋が既に知られている。
【０００４】
しかしながら、合成樹脂繊維を含んだ繊維製品を着用する場合にも繊維または繊維片がそれから脱落し、そのため極めて多量の合成樹脂粒子ならびに繊維が周囲空気中に飛散し、それが各種の表面に沈着して清掃の際に拭き取られて最終的に排水中に到達することが見込まれる。さらに別の環境汚染源はタイヤならびに靴底の摩耗によって放出される合成樹脂粒子であり、それも同様に汚水を介して環境中に到達する危険性がある。
【先行技術文献】
【特許文献】
【０００５】
【特許文献１】国際公開第２０１７／１２１８６２号Ａ１パンフレット
【発明の概要】
【発明が解決しようとする課題】
【０００６】
上記の背景から本発明によって新規の可能な限り実用的かつ広範に適用可能な環境保護のための補助手段が提供される。
【課題を解決するための手段】
【０００７】
従って本発明は、２００μｍの直径あるいは長さを有するマイクロプラスチック粒子あるいは繊維を捕集するようにフィルタエレメントを形成し、バケツを傾斜させた際にバケツの外側にフィルタを懸吊してバケツから流出する汚染水を濾過する注ぎ口フィルタとして作用し得るような方式でフィルタの寸法に対応するバケツの上縁にフィルタを固定可能であるような固定構造をフィルタが備えることを特徴とする、冒頭に述べた種類の汚染水を濾過するためのフィルタに関する。
【０００８】
本発明に係るフィルタは極めて単純に構成されていてまたフィルタの寸法に対応するバケツ上に固定あるいは支承可能な構造を有するため、（特に家庭用において）極めて容易に使用可能な補助手段として（重力の作用によって）フィルタ内に含まれたフィルタエレメントを通過させて汚染水を濾過することが明らかである。
【０００９】
フィルタ内に集積された粒子はフィルタの使用後に単純に取り出してその後適正に処分することができる。
【００１０】
本発明の第一の構成形態によれば、フィルタが２本の固定爪を有する固定構造を備え、その構造によってバケツを傾斜させた際にバケツの外側にフィルタを懸吊してバケツから流出する汚染水を濾過する注ぎ口フィルタとして作用し得るような方式でフィルタの寸法に対応するバケツの上縁に適宜にフィルタを取り付けることができる。
【００１１】
従って極めて簡便かつ実用的な清掃作業中に使用する環境を浄化するための補助手段が提供される。
【００１２】
その際、固定構造の適宜な構成によって揺動するようにバケツの上縁にフィルタを懸吊可能にすることが好適であり、従ってバケツを傾斜させた際にフィルタがそれの自重によっておよび／またはバケツからフィルタに流入する水の追加的な重量によってバケツが直立している際のフィルタの（通常略水平に延在する流入口を有する）空間内の方向性をバケツが傾斜した際でも少なくとも殆ど維持するような方式でフィルタがバケツに対して傾倒することができる。
【００１３】
その種の揺動式の懸吊を可能にする固定構造は、特にバケツが傾斜している際でもまた特定の傾斜角に関わらずフィルタの全容積が利用可能になり従って容易に溢れることが無いという利点を有する。
【００１４】
その種のバケツ上で使用可能なフィルタは、少なくとも１個のストッパ要素（より好適にはフィルタの異なった辺上に配置された２個のストッパ要素）を備え、そのストッパ要素がバケツの外側に突立したバケツ縁部と共働してバケツを傾斜させた際のフィルタの滑落を防止するようにすることが好適である。
【００１５】
その種のバケツの注ぎ口フィルタとして機能するフィルタにおいてフィルタエレメントがフィルタの内部空間を仕切る少なくとも１つの壁部内の少なくとも１つのリセスを被覆することが好適である。
【００１６】
本発明に係るフィルタのさらに別の好適な構成形態によれば、フィルタの固定構造が少なくとも１本の（柔軟な）固定ベルトから形成され、それによってフィルタをバケツの上縁領域内に固定可能にし、特に前記少なくとも１本の固定ベルトをバケツの上縁の周りに周回させて適宜に固定することによって可能にする。その種の少なくとも１本の（柔軟、場合によって弾力性に形成可能な）固定ベルトを固定構造として有するフィルタは、極めて容易に製造可能であるとともに単純な方式でバケツ上に固定可能である。その際２本の固定ベルトを（例えばフィルタの異なった側面上に）備えることも好適であり、バケツの上縁にフィルタを固定するために２本の固定ベルトの自由端領域を適宜な方式で相互に結合することができる。
【００１７】
さらに、前記少なくとも１本の固定ベルトがベルクロ（登録商標）ファスナを備えることも好適であり得る。（左および右側からバケツ上縁の周りに周回させ得る）２本の固定ベルトを使用する場合、両方の固定ベルト上にそれぞれベルクロ（登録商標）ファスナの一部を設けることができる。
【００１８】
さらに、フィルタが所与の制限内で多様な大きさのバケツ（すなわち例えば多様な上縁領域の周囲長を有するバケツ）および／または多様な断面形状を有するバケツ（例えば楕円あるいは四角形のバケツ）に固定するために適合するように、前記少なくとも１本の固定ベルトおよび／またはベルクロ（登録商標）ファスナを配置および／または寸法設定することも極めて好適である。
【００１９】
本発明に係るフィルタのさらに別の好適な構成形態によれば、フィルタが濾過する水用の流入口を備えたフィルタ袋からなる。このフィルタ構成は、前述した固定構造として作用する固定ベルトを使用してバケツの上縁に固定可能あるいは懸吊可能であるフィルタに特に適している。
【００２０】
その種のフィルタ袋は、側辺側で相互に結合、特に補強帯を使用して相互に縫合された（任意の、場合によって多層材料からなる）２枚のシートから好適に形成することができ、そのうち少なくとも１枚のシートが少なくとも部分的にフィルタエレメントとして機能する。
【００２１】
さらに、後述する本発明の実施例の説明においてより詳細に記述するように、フィルタ袋が流入口の領域内の相互の対向する２側面にＶ字型のあるいはＶ字型に広げることができるリセスを備えることが好適であり、フィルタをバケツに適正に固定した際に前記リセス内にバケツの縁部が進入し得るようにする。その際フィルタを適正に固定した場合にバケツ縁部の下に位置するフィルタ袋の縁部断片がバケツの外面に密着することができ、一方フィルタ袋の逆側の縁部断片はバケツ縁部から突出し、従ってバケツを傾斜させた際にバケツ内に存在する汚染水が流入口を介して漏れなくフィルタ袋内に流入し、重力によって濾過されて再びフィルタ袋から流出することができる。その後フィルタ袋内に捕集されたマイクロプラスチック汚染物質を含んだ汚染粒子をフィルタ袋から取り出して適正に処分することができる。
【００２２】
フィルタ袋の全ての縁部領域を補強帯によって好適に補強することができる。
【００２３】
フィルタ袋および流入口の領域のＶ字型（あるいはＶ字型に広げることができる）リセスを有するフィルタにおいて、２本の固定ベルトを設け、それらのそれぞれが第１および第２の固定ベルト断片に分岐し、その際各固定ベルトの２本の固定ベルト断片がフィルタ袋のＶ字型のリセスのそれぞれ異なった脚部に接合することが極めて有効であると理解される。そのような固定ベルトによって、バケツ縁部の下方でバケツの外側に接合するフィルタ袋の縁部断片ならびにバケツ縁部から突出するフィルタ袋の縁部断片の両方がいずれの方向にも良好に保持されかつ確実にバケツ上に固定可能となることが保証される。
【００２４】
加えて、各固定ベルトの分岐した２本の固定ベルト断片が異なった長さを有することができまたは異なった長さを有するようにすべきであり、それによってバケツを傾斜させた際にフィルタ袋の流入口が（水圧によって）適宜に広がり得るようにすることが好適である。
【００２５】
フィルタエレメントと固定構造（ならびに場合によって存在する補強帯あるいは壁材、縫合のために使用する糸、および場合によって存在するベルクロ（登録商標）ファスナを）を含めたフィルタ全体を単一の材料、特にポリアミド、中でもポリアミド６．６から製造し得ることが極めて好適である。すなわちこの場合寿命終了後にフィルタ全体を環境に優しい方式で容易にリサイクルすることができる。
【００２６】
上述した全てのフィルタ構成形態において、５μｍないし２００μｍの範囲の平均メッシュ幅、好適には２０ないし１００μｍあるいは２０ないし８０μｍの平均メッシュ幅を有するフィルタ組織、特に合成樹脂フィルタ組織からフィルタエレメントを形成することができる。上述したフィルタ袋は、その種のフィルタ組織から大面積で好適に形成することができ、場合によって同一のあるいは異なった材料からなる縁部側の補強帯を備える。
【００２７】
合成樹脂フィルタ組織は熱硬化性ポリアミド、特にポリアミド６．６（ＰＡ６．６）とすることが好適である。それによって特に１００℃（ウェット）における継続熱耐久性を達成することができ、本発明の目的に最適に対応するものとなる。勿論、一般的な環境条件下において充分安定するものであれば、その他の材料を本発明の枠内で使用することもできる。
【００２８】
さらに、通常は単層で使用することができる単一繊維組織を使用することが好適である。本発明において極めて適したものは、約８０μｍの組織厚とそれぞれ５０μｍ±１０％の縦および横糸の（平均）メッシュ幅と２７％のスクリーン開口面積を有するＰＡ６．６からなる単層で単一繊維のスクリーンクロスの使用であることが判明した。
【００２９】
本発明はさらに、バケツとそのバケツ上に固定された本発明に係る方式のフィルタからなる複合体に関する。
【図面の簡単な説明】
【００３０】
【図１】注ぎ口フィルタとしてバケツ上に固定可能な固定構造を備えた本発明に係るフィルタの第１の実施例を示した説明図である。
【図２】注ぎ口フィルタとしてバケツ上に固定可能な固定構造を備えた本発明に係るフィルタの第１の実施例を示した説明図である。
【図３】注ぎ口フィルタとしてバケツ上に固定可能な固定構造を備えた本発明に係るフィルタの第１の実施例を示した説明図である。
【図４】注ぎ口フィルタとしてバケツ上に固定可能な固定構造を備えた本発明に係るフィルタの第１の実施例を示した説明図である。
【図５】注ぎ口フィルタとしてバケツ上に固定可能な固定構造を備えた本発明に係るフィルタの第１の実施例を示した説明図である。
【図６】注ぎ口フィルタとしてバケツ上に固定可能な固定構造を備えた本発明に係るフィルタの第１の実施例を示した説明図である。
【図７】本発明に係るフィルタの第２の実施例をバケツとの組み合わせにおいて写実的および概略的に示した説明図である。
【図８】本発明に係るフィルタの第２の実施例をバケツとの組み合わせにおいて写実的および概略的に示した説明図である。
【図９】本発明に係るフィルタの第２の実施例をバケツとの組み合わせにおいて写実的および概略的に示した説明図である。
【図１０】本発明に係るフィルタの第２の実施例をバケツとの組み合わせにおいて写実的および概略的に示した説明図である。
【発明を実施するための形態】
【００３１】
次に、本発明について添付図面を参照しながら以下詳細に説明する。
【００３２】
図１ないし図６には、フィルタ１の上側に設けられた濾過する汚染水用の流入口２を備えていて、フィルタが（好適には）２本の固定爪３からなる固定構造４を備え、それらによってフィルタ１を（適宜に寸法設定された）バケツ６の上縁５に固定可能あるいは支承可能である、本発明に係るフィルタ１の第１の実施例が異なった視野ならびに異なった方向から示されている。このフィルタ１はバケツ６から流出する汚染水用の注ぎ口フィルタとして機能し、流入口２は四角形に形成される。傾斜したバケツ６から図２の矢印Ｐの方向に流出した水は上方の流入口２を介してフィルタ１内に流入し、フィルタ１の下端まで到達する側面７内に設けられたフィルタエレメント８を通過して再びフィルタから流出する。
【００３３】
フィルタ１は例えば薄壁状の合成樹脂等の材料から形成することができ、その際バケツ６の窪み部と逆側のフィルタ１の側面７内に適宜に小さなメッシュ幅を有するフィルタ組織からなるフィルタエレメント８を備える。この場合フィルタエレメント８は、例えば５０μｍの平均メッシュ幅を有するポリアミド６．６製の熱硬化性合成樹脂（スクリーン）組織からなる大面積のフィルタ組織によって形成される。
【００３４】
バケツ６の上縁５に取り付けられたフィルタ１が図３ないし図６の側面図に示されており、バケツ６の傾斜状態に関わらず実質的に同等に維持される空間中の方向性をフィルタ１が保持するような方式でフィルタ１が揺動式にバケツ６上に固定されるように固定構造４が構成される。フィルタ１上の固定爪３の下方に設けられたストッパ９は、バケツ６が強く傾斜刺した際にバケツ６の先頭側縁部５に当接することによってフィルタ１がバケツ６から脱落することを確実に防止する。
【００３５】
フィルタ１の左側および右側に設けられた柔軟性の材料からなる２枚の翼状部材１０，１１は、バケツ６が直立している際にそのバケツ６に予荷重をもって接合し、またその翼状部材にストッパ要素９が形成されていて、バケツ６を傾斜させた際の揺動式の懸吊の結果フィルタ１が振動した場合に爪３とストッパ要素９の間の空隙を縮小させるように作用する。それによってフィルタ１が常に確実にバケツ６に接して保持される。翼状部材１０，１１を側方に引き離すことによってそれら翼状部材と固定爪３の間の距離が拡大し、それによってフィルタ１を容易にバケツ６から取り外することができる。
【００３６】
図７ないし図１０には、写実的（図７および図８）ならびに概略的（図９および図１０）に本発明に係るフィルタ１の第２の実施例が示されており、本発明の原理に基づいてバケツ６の外側に懸吊して（図８および図１０参照）バケツ６を傾斜させた際にバケツ６から流出する汚染水を濾過するための注ぎ口フィルタとして機能するような方式で、対応する寸法を有するバケツ６の上縁５上に懸吊可能あるいは固定可能である。
【００３７】
このフィルタ１は固定構造４として２本の固定ベルト１２，１３を備え、フィルタ１をバケツ６の上部あるいは最上部の縁部上（通常バケツの外側に突出している縁部５の直下）に固定するために前記固定ベルト１２，１３をバケツ６の周りで左側および右側に周回させることができ、フィルタ１と反対側のバケツの領域において前記固定ベルトの自由端部をベルクロ（登録商標）ファスナ１４によって相互に結合することができる。両方の固定ベルト１２，１３の結合を緩い引張力によって実施することにより、所要の目的のために充分に安定したバケツ６上のフィルタ１の固定を達成することができる。
【００３８】
さらに、図７ないし図１０に示されたフィルタ１はフィルタ袋１５を備え、その中に濾過すべき水が流入口２を介して流入することができる。図示された実施例においてフィルタ袋１５は大面積のフィルタエレメント８として作用するフィルタ組織の２枚のシート１６ａ，１６ｂから形成され、その際フィルタ袋１５において異なった辺で接続する両方のシート１６ａ，１６ｂがいずれも縁部領域で補強帯１７によって補強される。
【００３９】
フィルタ組織からなる両方のシート１６ａ，１６ｂは本発明の原理に基づいて約２００μｍの長さ／直径を有するマイクロプラスチック粒子あるいは繊維を捕集するために適しており、そのため例えば上述した材料から製造し得るとともに、縁側の補強帯１７の領域において相互に結合あるいは縫合される。
【００４０】
その際縫合糸、補強帯１７、（本実施例において補強帯１７の延長として一体的に形成される）固定ベルト１２，１３、ならびにベルクロ（登録商標）ファスナ１４は、フィルタ組織と同じ材料から製造することができる。
【００４１】
図７および図１０によってフィルタ袋１５が流入口２の領域の対向する２つの側にＶ字型あるいはＶ字型に広げることができるリセス１８を備えることが明確に示されており、従ってフィルタ１をバケツ６に適正に固定した際に前記リセス１８の領域内でバケツ６の上縁５がフィルタ袋１５の両方のシート１６ａ，１６ｂの間（あるいは向かい合った縁部の間）に少なくとも部分的に進入し得る。それによってフィルタ袋１５のバケツの直ぐ外側に接続するシート１６ａが（それの上縁部領域まで）バケツ縁部５の下側に位置し、一方フィルタ袋１５の逆側のシート１６ｂの上側の縁部断片１９（図８参照）はバケツ縁部から突出することができ、従ってバケツ６を傾斜させた際にバケツ６内に存在する汚染水が殆ど漏れることなく両方のシート１６ａ，１６ｂの間に存在する流入口２を介して上方からフィルタ１内に流入することができる。
【００４２】
汚染粒子および特にマイクロプラスチック粒子および繊維は、直径あるいは長さが使用されるフィルタ組織のメッシュ幅を上回る限り、フィルタ袋１５を水が通過する際に確実にフィルタ袋１５内に捕集される。
【００４３】
さらに図７ないし図１０には、各固定ベルト１２，１３がそれらの自由端（ベルクロ（登録商標）ファスナの領域）からフィルタ袋１５の方向に向かって２本の固定ベルト断片１２ａ，１２ｂあるいは１３ａ，１３ｂにそれぞれ分岐することが明確に示されており、その際各固定ベルト１２，１３の２本の固定ベルト断片１２ａ，１２ｂあるいは１３ａ，１３ｂがフィルタ袋１５のＶ字型のリセスの異なった脚部に接合するかあるいはそこからフィルタ袋１５を形成するフィルタ組織の両方のシート１６ａ，１６ｂのための補強帯１７として延伸する。図９には、各固定ベルト１２，１３の両方の分岐した固定ベルト断片１２ａ，１２ｂあるいは１３ａ，１３ｂが異なった長さを有することが明確に示されている。
【００４４】
さらに図８には、バケツ６を傾斜させた際にフィルタ袋１５の下方に流出する濾過された水が示されている。
【図１】
2021514830.tif 000003
【図２】
2021514830.tif 000004
【図３】
2021514830.tif 000005
【図４】
2021514830.tif 000006
【図５】
2021514830.tif 000007
【図６】
2021514830.tif 000008
【図７】
2021514830.tif 000009
【図８】
2021514830.tif 000010
【図９】
2021514830.tif 000011
【図１０】
2021514830.tif 000012
【国際調査報告】
2021514830.tif 000013
2021514830.tif 000014
2021514830.tif 000015
2021514830.tif 000016
2021514830.tif 000017
2021514830.tif 000018